(57)【特許請求の範囲】
【請求項１】
長尺な線状部材と、一端が前記線状部材に取付部材を介して取り付けられて線状部材をその軸心に対して斜めに引っ張る糸状体と、この糸状体の他端を引っ張ったり緩めたりする駆動機構と、を備えた遊技機の可動装飾装置であって、
線状部材に、前記取付部材を少なくとも２つ間隔をおいて配置し、線状部材の先端側の取付部材に糸状体の一端を線状部材に近接させて固定した場合には、線状部材の基端側の取付部材に前記糸状体を線状部材から離間させて挿通し、線状部材の先端側の取付部材に糸状体の一端を線状部材から離間させて固定した場合には、線状部材の基端側の取付部材に前記糸状体を線状部材に近接させて挿通し、駆動機構により糸状体の他端を引っ張ることにより線状部材が斜めに引っ張られてたわむようにしたことを特徴とする遊技機の可動装飾装置。
【請求項２】
線状部材を中心として先端側の取付部材の対向する位置に２本の糸状体の一端を固定するとともに、線状部材を中心として基端側の取付部材の対向する位置に前記２本の糸状体を挿通して、一方の糸状体の他端を引っ張っているときは他方の糸状体の他端を緩めて、線状部材を正逆の二方向に二次元的にたわむようにしたことを特徴とする請求項１に記載の遊技機の可動装飾装置。
【請求項３】
先端側の取付部材に、３本の糸状体の一端を等間隔をおいて固定するとともに、基端側の取付部材に、前記３本の糸状体を等間隔をおいて挿通して、前記３本の糸状体の他端をそれぞれ引っ張ったり緩めたりして、線状部材を任意の方向に３次元的にたわむようにしたことを特徴とする請求項１に記載の遊技機の可動装飾装置。
【発明の詳細な説明】
【技術分野】
【０００１】
本発明は、パチンコ機等の遊技機に使用される可動装飾装置に関するものである。
【背景技術】
【０００２】
遊技機、例えばパチンコ遊技機には、遊技盤の遊技領域の中央部に開口を形成し、遊技盤の開口裏面側に、複数の識別情報を変動表示する変動表示装置を配設し、遊技盤の前面側に、該変動表示装置の表示部が臨む表示用窓部を形成したものが知られている。
【０００３】
そして、特許文献１には、表示窓部の両側上部に可動装飾部材を配設した遊技機が開示されている。可動装飾部材は、表示部側へ屈曲可能な可動部材と、該可動部材の先端部に設けられた装飾部材と、前記可動部材の基端部に設けられた駆動手段とからなり、前記可動部材は、複数の関節体を順次枢軸を介して直列に連結した連結体の内部に、一端を先端側関節体に固定したテープ状の長尺弾性部材を挿通して、他端を引っ張ることで屈曲させるように構成されている。
【０００４】
また、特許文献２には、複数の装飾体が一方向に屈曲可能で反対方向へは屈曲不可能に直列に連結された長尺の可動部材（可動装飾部材）が、伸縮自在に駆動するように構成された可動装飾装置が開示されている。
【０００５】
以上の特許文献１、２に記載された可動部材は、関節で連結されているので、屈曲部位が数ヶ所しかなく全体にわたって滑らかにたわんだりすることはできない。このため曲がりの状態がぎこちなく装飾効果に劣ったものであった。また、上記の可動部材は、屈曲方向が正逆二方向の平面的な屈曲に限定されてしまい任意の３次元方向にたわむことはできず、この点でも装飾効果において十分満足できるものではなかった。
【先行技術文献】
【特許文献】
【０００６】
【特許文献１】特開２００６−１７４９３２号公報
【特許文献２】特開２００３−７９８２８号公報
【発明の概要】
【発明が解決しようとする課題】
【０００７】
本発明は、上記した従来の問題点に鑑み、関節を持たず全長にわたってたわむことができるうえに、任意の方向にもたわむことができる線状部材を備えた遊技機の可動装飾装置を提供することを課題とする。
【課題を解決するための手段】
【０００８】
上記の課題を解決するためになされた本発明に係る遊技機の可動装飾装置は、長尺な線状部材と、一端が前記線状部材に取付部材を介して取り付けられて線状部材をその軸心に対して斜めに引っ張る糸状体と、この糸状体の他端を引っ張ったり緩めたりする駆動機構と、を備えた遊技機の可動装飾装置であって、
線状部材に、前記取付部材を少なくとも２つ間隔をおいて配置し、線状部材の先端側の取付部材に糸状体の一端を線状部材に近接させて固定した場合には、線状部材の基端側の取付部材に前記糸状体を線状部材から離間させて挿通し、線状部材の先端側の取付部材に糸状体の一端を線状部材から離間させて固定した場合には、線状部材の基端側の取付部材に前記糸状体を線状部材に近接させて挿通し、駆動機構により糸状体の他端を引っ張ることにより線状部材が斜めに引っ張られてたわむようにしたことを特徴とするものである。
【０００９】
上記した発明において、線状部材を中心として先端側の取付部材の対向する位置に２本の糸状体の一端を固定するとともに、線状部材を中心として基端側の取付部材の対向する位置に前記２本の糸状体を挿通して、一方の糸状体の他端を引っ張っているときは他方の糸状体の他端を緩めて、線状部材を正逆の二方向に二次元的にたわむようにすることができる。
【００１０】
また、先端側の取付部材に、３本の糸状体の一端を等間隔をおいて固定するとともに、基端側の取付部材に、前記３本の糸状体を等間隔をおいて挿通して、前記３本の糸状体の他端をそれぞれ引っ張ったり緩めたりして、線状部材を任意の方向に３次元的にたわむようにすることができる。
【発明の効果】
【００１１】
本発明の遊技機の可動装飾装置は、可動体を線状部材としたので、全長の任意の部分においてたわむことができる。そして、この線状部材の先端を糸状部材で斜めに引っ張るようにしたので、糸状体を巻き付け、巻き戻すことにより線状部材を滑らかにたわませたり、また元に戻したりすることができる。
【図面の簡単な説明】
【００１２】
【図１】第１の実施形態の可動装飾装置の要部を示す斜視図である。
【図２】図１の可動装飾装置の線状部材がたわんだ状態を示す斜視図である。
【図３】線状部材が逆方向にたわんだ図１の可動装飾装置の要部を示す斜視図である。
【図４】第１の実施形態の可動装飾装置を示す斜視図である。
【図５】図４の可動装飾装置の正面図である。
【図６】線状部材軸心部の垂直断面図である。
【図７】駆動機構の側面図である。
【図８】第２の実施形態の可動装飾装置の要部を示す斜視図である。
【図９】図８の可動装飾装置の線状部材がたわんだ状態を示す斜視図である。
【図１０】線状部材が他方にたわんだ図８の可動装飾装置の要部を示す斜視図である。
【発明を実施するための形態】
【００１３】
以下に、本発明の実施形態について説明する。
【００１４】
初めに、本発明の基本構造について、図１により説明する。図１において、１は線状部材、２１、２２は糸状体、３１、３２、３３は糸状体の取付部材である。
【００１５】
線状部材１として、鋼線、超弾性ワイヤ、プラスチック線あるいは鋼線を密に長く巻きつけた引っ張りコイルバネなどを用いることができる。線状部材１は、無負荷の状態では真直性を維持するが、横方向の負荷を受けた場合にはたわむことが必要である。
【００１６】
糸状体２１、２２は、糸、紐などの巻き付け可能なものであればよく、材質は特に問わないが、伸びの無いものが望ましい。糸状体は少なくとも１本（２１又は２２）が線状部材１の先端又は途中のいずれかの部位に取り付けられていることが必要である。
【００１７】
３つの取付部材３１、３２、３３はたわまない剛体からなる略円盤形状であって、線状部材１の長手方向に沿って所要間隔を置いて上から順番に個定されている。線状部材１の先端側の取付部材３１においては糸状体２１の一端が線状部材１に近接して固定されているとともに、線状部材１の基端側の取付部材３２においては前記糸状体２１が線状部材１から離間して穴３２１に挿通されている。そして、さらに基端側の取付部材３３においては糸状体２１が線状部材１に近接して穴３３１に挿通されている。したがって、図示していない駆動機構により糸状体２１の他端を線状部材１の軸と平行な下方向に引っ張ることにより、糸状体２１が線状部材１を、図において右斜め下方に引っ張るので、線状部材１は図２に示すように右方にたわむことができる。
【００１８】
また、図１のものにおいては、線状部材１を中心として先端側の取付部材３１の対向する位置に近接させて２本の糸状体２１、２２の一端が固定されているとともに、線状部材１を中心として基端側の取付部材３２の対向する位置に離間させて前記２本の糸状体２１、２２が穴３２１、３２２に挿通されている。そして、さらに線状部材１を中心として基端側の取付部材３３の対向する位置に近接させて２本の糸状体２１、２２が穴３３１、３３２に挿通されている。
【００１９】
よって、一方の糸状体２１の他端を引っ張っているときは他方の糸状体２２の他端を弛緩させて、線状部材１を図の右方向にたわませることができる（図２）。そして、他方の糸状体２２の他端を引っ張っているときは一方の糸状体２１の他端を弛緩させることによって、線状部材１を図３のように左方向にたわませることができる（図３）。よって、２本の糸状体２１、２２により線状部材１を正逆の二方向に二次元的にたわませることができる。
【００２０】
図４−７には、以上の基本構造を採用した可動装飾装置を示す。図において、４は図示していない制御装置７によって駆動制御される駆動機構、５は線状部材１の先端に固定された装飾部材であり、取付部材３１を兼ねる。図５に示すものにおいては、線状部材１を中心として先端側の取付部材３１の対向する位置に近接させて２本の糸状体２１、２２の一端が固定されているとともに、線状部材１を中心として基端側の取付部材３２の対向する位置に離間させて前記２本の糸状体２１、２２が挿通されている。さらに下方の取付部材３３の、線状部材１を中心として対向する位置に近接させて２本の糸状体２１、２２が挿通されている。
【００２１】
これらの糸状体２１、２２は、下方の取付部材３４、３５を素通りしてプーリーＰ１、Ｐ２により方向転換されて、プーリーＰ３に他端が固定されている。プーリーＰ３はギアＧ２を介してモーターＭ１のモーターギアＧ１により、正逆方向に回転される。よって、プーリーＰ３が時計回りに回転する場合には、糸状体２１が巻き取られ、糸状体２２が弛緩するので、線状部材１の上方の部分が右方向にたわむ。対して、反時計回りに回転する場合には、糸状体２１が弛緩し、糸状体２２が巻き取られるので、線状部材１の上方の部分が左方向にたわむ。このように、線状部材１の取付部材３３より上方の部分は、制御装置７により、図５において左右の２方向に任意にたわませることができる。図中の４１は、駆動装置４の取付基板である。
【００２２】
取付部材３２より基端側の取付部材３３の、線状部材１を中心として対向する位置に近接させて２本の糸状体２３、２４の一端が固定されているとともに、さらに基端側の取付部材３４の、線状部材１を中心として対向する位置に離間させて前記２本の糸状体２３、２４が挿通されている。さらに基端側の取付部材３５の、線状部材１を中心として対向する位置に近接させて２本の糸状体２３、２４が挿通されている。
【００２３】
これらの糸状体２３、２４は、プーリーＰ１、Ｐ２により方向転換されて、プーリーＰ４に他端が固定されている。プーリーＰ４はギアＧ４を介してモーターＭ２のモーターギアＧ３により、正逆方向に回転される。よって、プーリーＰ４が時計回りに回転する場合には、糸状体２３が巻き取られ、糸状体２４が弛緩するので、線状部材１の下方の部分が右方向にたわむ。対して、反時計回りに回転する場合には、糸状体２２が弛緩し、糸状体２３が巻き取られるので、線状部材１の下方の部分が左方向にたわむ。このように、線状部材１の取付部材３３より下方の部分は、制御装置７により、図５において左右の２方向に任意にたわませることができる。
【００２４】
くちばし形状を模した装飾部材５は、回動片５１を有しており、この回動片５１には糸状体２５が取り付けられている。糸状体２５は、中空とした線状部材１の内部を挿通して下方のレバー６に連結されている。レバー６の先端６１はソレノイドＳ１のプランジャ７１と係合されており、ソレノイドＳ１の通電によりプランジャ７１が吸引されて先端６１が押し下げられる。これによって糸状体２５は引っ張られるので、回動片５１は支点Ｑを中心として回動して、装飾部材５がくちばしが開かれたように動作する。
【００２５】
なお、プーリーＰ１、Ｐ２はそれぞれ前後二つのプーリーが重なって構成されており、糸状体２３，２４を前側のプーリーで、糸状体２１、２２を後側のプーリーで方向転換することで、糸状体２１と２３、２２と２４とが絡まらないようになっている（図６）。
さらに、駆動機構４としてプーリーＰ３，Ｐ４を使った巻き取り機構を用いているが、これに限定されるものではなく、対となる糸状体２１、２２をそれぞれ引っ張ったり緩めたりできる構造であればよい。
【００２６】
図８−１０には、第２の実施形態の可動装飾装置を示す。この形態のものにおいては、線状部材１を中心として正三角形となるように、円盤状とした先端側の取付部材３６に近接させて３本の糸状体２６、２７、２８の一端を等間隔をおいて固定するとともに、基端側の取付部材３７に、線状部材１から離間させて前記３本の糸状体２６、２７、２８を等間隔をおいて穴３７１、３７２、３７３に挿通してある。そして、さらに基端側の取付部材３８に、線状部材１に近接させて前記３本の糸状体２６、２７、２８を等間隔をおいて穴３８１、３８２、３８３に挿通してある。なお、穴３７１、３７２、３７３および穴３８１、３８２、３８３も線状部材１を中心としてそれぞれ正三角形となるように形成されている。これら３本の糸状体２６、２７、２８の他端はそれぞれ図示しない駆動装置によって個別に引っ張ったり緩めたりすることができる。
【００２７】
これによって、例えば、１本の糸状体２６を引っ張っているときは残り２本の糸状体２７、２８を弛緩させることによって、線状部材１を糸状体２６の方向に外向きにたわませることができる。隣り合う２本の糸状体２６、２７を同じだけ引っ張っているときは残り１本の糸状体２８を弛緩させることによって、線状部材１を糸状体２６、２７のちょうど中間方向に外向きにたわませることができる（図９）。また、隣り合う２本の糸状体２６、２７を糸状体２６のほうが多くなるようにそれぞれ異なる分だけ引っ張っているときは残り１本の糸状体２８を弛緩させることによって、線状部材１を糸状体２６、２７の間の糸状体２６よりの方向に外向きにたわませることができる。さらに、隣り合う２本の糸状体２７、２８を同じだけ引っ張っているときは残り１本の糸状体２６を弛緩させることによって、線状部材１を糸状体２７、２８のちょうど中間方向に外向きにたわませることができる（図１０）。したがって、３本の糸状体を使用することによって、線状部材１を任意の方向に３次元的にたわませることができる。
【符号の説明】
【００２８】
１  線状部材、２１、２２  糸状体、３１、３２  取付部材
【図１】
0005853261.tif 000002
【図２】
0005853261.tif 000003
【図３】
0005853261.tif 000004
【図４】
0005853261.tif 000005
【図５】
0005853261.tif 000006
【図６】
0005853261.tif 000007
【図７】
0005853261.tif 000008
【図８】
0005853261.tif 000009
【図９】
0005853261.tif 000010
【図１０】
0005853261.tif 000011